(57)【要約】【課題】使用時に物流用ドローンの高精度の着陸が可能であり、起伏のある場所でも使用でき、かつ分解、組立、及び搬送が容易である可搬式ドローンポートを提供する。【解決手段】起伏のある場所で物流用ドローンが離着陸可能な水平面を保持可能な離着陸ポート１０と、間隔を隔てて離着陸ポートの外側を囲みかつ高さ調節可能な外側フェンス２０と、外側フェンス２０に外縁を固定して水平に展張可能なマーカーシート３０と、を備える。外側フェンス２０は、最長部が離着陸ポート１０より短い大きさに折り畳み可能である。マーカーシート３０は、その上面に物流用ドローンが認識可能な複数のＡＲマーカー３８を有し、かつ離着陸ポート１０まで人がアクセス可能に構成されている。【選択図】図１
2020117118.tif 000002
【特許請求の範囲】
【請求項１】
起伏のある場所で物流用ドローンが離着陸可能な水平面を保持可能な離着陸ポートと、
間隔を隔てて前記離着陸ポートの外側を囲み、かつ高さ調節可能な外側フェンスと、
前記外側フェンスに外縁を固定して水平に展張可能なマーカーシートと、を備え、
前記外側フェンスは、最長部が前記離着陸ポートより短い大きさに折り畳み可能であり、
前記マーカーシートは、その上面に前記物流用ドローンが認識可能な複数のＡＲマーカーを有し、かつ前記離着陸ポートまで人がアクセス可能に構成されている、可搬式ドローンポート。
【請求項２】
前記離着陸ポートは、その上面高さを調整可能なポート支持脚と、上面の水平度を検出可能な水準器と、を有し、
前記外側フェンスは、その上面高さを調整可能なフェンス支持脚と、その上を越える物体を検出する検出センサと、異常を通知するアラーム装置と、を有する、請求項１に記載の可搬式ドローンポート。
【請求項３】
前記離着陸ポートは、前記物流用ドローンが離着陸可能な固定天板と、前記固定天板を支持する矩形枠と、を有する、請求項１に記載の可搬式ドローンポート。
【請求項４】
前記外側フェンスは、４組の四隅部材と、該四隅部材にそれぞれ固定された１対の辺フレームと、を有し、
前記辺フレームは、順に連結された複数の辺セグメントからなり、
複数の前記辺セグメントは、互いに重ねて折り畳まれた格納位置と、直線状に連結された展開位置との保持位置を有する、請求項１に記載の可搬式ドローンポート。
【請求項５】
前記離着陸ポートの四隅に固定され、前記離着陸ポートの内側に収容された収容位置から前記離着陸ポートの対角線方向に引出し可能な４組の対角線フレームを有し、
前記対角線フレームの外端が前記四隅部材に回転可能に固定されている、請求項４に記載の可搬式ドローンポート。
【請求項６】
前記マーカーシートは、前記離着陸ポートの上に位置する矩形の中央シートと、前記離着陸ポートと前記外側フェンスの中間部の下面に位置する矩形リング状の外側シートと、を有し、
前記外側フェンスを乗り越えて前記外側シートの上に人が立つことで、離着陸ポート上の前記物流用ドローンにアクセスする、請求項１に記載の可搬式ドローンポート。
【請求項７】
前記マーカーシートは、前記離着陸ポートの上面から前記外側フェンスまで、外縁を固定して水平に展張される一体シートであり、かつ前記離着陸ポートの外側にスリットを有し、
前記スリットを開いて、前記一体シートの一部を開き、前記外側フェンスを乗り越えて前記一体シートの下に位置する床面に人が立つことで、離着陸ポート上の前記物流用ドローンにアクセスする、請求項１に記載の可搬式ドローンポート。
【発明の詳細な説明】
【技術分野】
【０００１】
本発明は、物流用ドローンが離着陸するためのドローンポートに関する。
【背景技術】
【０００２】
「ドローン」とは、小型の無人ヘリコプターの一種であり、３以上のローターを搭載した回転翼機を意味する。
近年、ドローンを用いて、小型の荷物を無人で搬送することが計画されている。かかるドローンを「物流用ドローン」と呼ぶ。
【０００３】
物流用ドローンの安全な離着陸を実現するために、物流用ドローンが離着陸するドローンポートが不可欠となる。かかるドローンポートは、例えば非特許文献１に開示されている。
【先行技術文献】
【非特許文献】
【０００４】
【非特許文献１】ブルーイノベーション株式会社、“物流用ドローンポートシステム”［ｏｎｌｉｎｅ］、［平成３０年１０月２６日検索］、インターネット＜ＵＲＬ：ｈｔｔｐｓ：／／ｗｗｗ．ｂｌｕｅ−ｉ．ｃｏ．ｊｐ／ｓｅｒｖｉｃｅ／ｌｏｇｉｓｔｉｃ／ｄｐｓ／＞
【発明の概要】
【発明が解決しようとする課題】
【０００５】
非特許文献１の物流用ドローンポートシステムでは、ドローンポート上の画像を認識することで高精度の着陸が可能である。
しかし、高精度の着陸を実現するために、大小のＡＲマーカーを組み合わせて配置しており、ドローンポートの上面が大型になる。例えば、物流用ドローンの平面寸法が１ｍ×１ｍ以内であっても、ドローンポートの上面寸法は、例えば３ｍ×３ｍ程度が必要になる。
そのため、従来のドローンポートは、大型であり、搬送が困難であった。
【０００６】
また、ドローンポートを省略すると、起伏のある場所での物流用ドローンの離着陸が困難であった。
【０００７】
本発明は上述した問題点を解決するために創案されたものである。すなわち、本発明の目的は、使用時に物流用ドローンの高精度の着陸が可能であり、起伏のある場所でも使用でき、かつ分解、組立、及び搬送が容易である可搬式ドローンポートを提供することにある。
【課題を解決するための手段】
【０００８】
本発明によれば、起伏のある場所で物流用ドローンが離着陸可能な水平面を保持可能な離着陸ポートと、
間隔を隔てて前記離着陸ポートの外側を囲み、かつ高さ調節可能な外側フェンスと、
前記外側フェンスに外縁を固定して水平に展張可能なマーカーシートと、を備え、
前記外側フェンスは、最長部が前記離着陸ポートより短い大きさに折り畳み可能であり、
前記マーカーシートは、その上面に前記物流用ドローンが認識可能な複数のＡＲマーカーを有し、かつ前記離着陸ポートまで人がアクセス可能に構成されている、可搬式ドローンポートが提供される。
【発明の効果】
【０００９】
本発明の構成によれば、離着陸ポートが、起伏のある場所で物流用ドローンが離着陸可能な水平面を保持可能なので、使用時に物流用ドローンの高精度の着陸が可能である。
また、外側フェンスが間隔を隔てて離着陸ポートの外側を囲み、かつ高さ調節可能なので、マーカーシートを、外側フェンスに外縁を固定して水平に展張可能である。
さらに、マーカーシートが、その上面に物流用ドローンが認識可能な複数のＡＲマーカーを有するので、物流用ドローンの高精度の着陸が可能である。
【００１０】
また、マーカーシートは、離着陸ポートまで人がアクセス可能に構成されているので、離着陸ポートの上に位置する物流用ドローン及び荷物に人がアクセスすることができる。
さらに、外側フェンスが、最長部が離着陸ポートより短い大きさに折り畳み可能なので、外側フェンスを折り畳むことで、ドローンポート全体を離着陸ポートの大きさ以下に折り畳んで、容易に搬送することができる。
【図面の簡単な説明】
【００１１】
【図１】本発明の第１実施形態の可搬式ドローンポートの平面図である。
【図２】図１から可撓性シートを外した状態の可搬式ドローンポートの平面図である。
【図３】図２の部分拡大図である。
【図４】可搬式ドローンポートの側面図であり、（Ａ）は離着陸ポートの側面図、（Ｂ）は外側フェンスの側面図である。
【図５】本発明の第２実施形態の可搬式ドローンポートの平面図であり、図２と同様に可撓性シートを外した状態を示している。
【図６】外側フェンスの格納位置における平面図（Ａ）と側面図（Ｂ）である。
【発明を実施するための形態】
【００１２】
以下、本発明の実施形態を図面に基づいて説明する。なお、各図において共通する部分には同一の符号を付し、重複した説明を省略する。
【００１３】
図１は、本発明の第１実施形態の可搬式ドローンポート１００の平面図であり、図２は、図１からマーカーシート３０を外した状態の可搬式ドローンポート１００の平面図である。
【００１４】
図１と図２において、可搬式ドローンポート１００は、離着陸ポート１０、外側フェンス２０、及び、マーカーシート３０を備える。
【００１５】
図２において、離着陸ポート１０は、可搬式ドローンポート１００の中央部分に位置し、物流用ドローンが離着陸可能な水平面を有する。
離着陸ポート１０は、ドローンが離着陸可能な固定天板１２を有する。固定天板１２は、上面が平らな１枚板であることが好ましいが、分割可能な複数の板であってもよい。
固定天板１２の水平面の勾配は３度以内、平面寸法は例えば１．２ｍ×１．２ｍ、耐荷重はドローンと荷物の重量以上であり、例えば５０ｋｇ以上に設定されている。
この場合、平面寸法が例えば１ｍ×１ｍ以内、ペイロードが２〜１０ｋｇの物流用ドローンを離着陸ポート１０の上面において離着陸させることができる。
以下、物流用ドローンを単に「ドローン」と呼ぶ。
【００１６】
図２の外側フェンス２０は、使用状態（後述する展開位置Ｂ）を示している。
この図において、外側フェンス２０は、離着陸ポート１０の外周面から間隔を隔てて離着陸ポート１０の外側を囲んで位置する。この間隔は、外側フェンス２０の外側から人がドローンに接触するのを防止できる距離に設定されている。この間隔は、例えば１ｍである。
従って、使用状態における外側フェンス２０の平面寸法は、例えば３ｍ×３ｍ以上（この例では、３．２ｍ×３．２ｍ）であり、高精度の着陸を実現するために、大小のＡＲマーカー３８を組み合わせて配置することができる。
外側フェンス２０の上端高さは、飛行時のドローンとの干渉を避けるために、離着陸ポート１０の上面と同一に設定されている。また外側フェンス２０の上端高さは、離着陸ポート１０まで人がアクセスする際に、容易に乗り越えられる高さに設定されている。この高さは、例えば３０〜５０ｃｍである。
【００１７】
図１において、マーカーシート３０は、外側フェンス２０に外縁を固定して水平に展張可能なシート状部材である。マーカーシート３０は、伸縮性が少なく、折り畳み可能であり、かつ軽量であることが好ましい。マーカーシート３０は、例えば、キャンバス等の布製又はナイロン製である。
【００１８】
マーカーシート３０は、その上面にドローンが認識可能な複数のＡＲマーカー３８を有する。
ＡＲマーカー３８は、画像認識型ＡＲシステムにおいて、付加情報を表示する位置を指定するための標識であり、例えば単純ではっきりした白黒の図形である。
この例で、複数のＡＲマーカー３８は、高精度の着陸を実現するために、大小のＡＲマーカー３８を組み合わせて配置されている。
この構成により、ドローンに内蔵された画像認識装置により、遠方から近づくにつれて小さいＡＲマーカー３８を認識し、離着陸ポート１０の中央位置に正確に着陸することができる。
【００１９】
図１（Ａ）において、マーカーシート３０は、離着陸ポート１０に位置する矩形の中央シート３２と、離着陸ポート１０と外側フェンス２０の中間部に位置する矩形リング状の外側シート３４と、を有する。
中央シート３２と外側シート３４の上面には、それぞれ異なる大きさのＡＲマーカー３８が表示されている。
【００２０】
図１（Ａ）において、中央シート３２は、固定天板１２の上面に密着して水平に位置決めされ、その上に離着陸するドローン及び荷物を固定天板１２で支持するようになっている。
また、矩形リング状の外側シート３４は、離着陸ポート１０と外側フェンス２０の中間部の下面（床面）に密着して水平に位置決めされ、その上に人が立ち入ることができるようになっている。
この構成により、外側フェンス２０を乗り越えて外側シート３４の上に人が立つことで、外側シート３４の位置から離着陸ポート上の物流用ドローンに人がアクセスすることができる。
【００２１】
図１（Ｂ）において、マーカーシート３０は、離着陸ポート１０の上面から外側フェンス２０まで、外縁を固定して水平に展張された一体シートである。一体のマーカーシート３０は、離着陸ポート１０の上面から外側フェンス２０まで、外縁を固定して水平に展張されている。
マーカーシート３０の中央部分（図１（Ａ）の中央シート３２に相当する部分）は、固定天板１２の上面に密着して水平に位置決めされ、その上に離着陸するドローン及び荷物を固定天板１２で支持するようになっている。
【００２２】
マーカーシート３０の外側部分（図１（Ａ）の外側シート３４に相当する部分）は、離着陸ポート１０と外側フェンス２０の間に水平に展開されるが、中間部分は支持されていない。そのため、マーカーシート３０の外側部分は、ドローン及び荷物を支持できないようになっている。
しかし、この例では、離着陸ポート１０の外側にスリット３５を有する。このスリット３５は、面ファスナー（例えばマジックテープ（登録商標））、チャック、などで開閉可能に構成されている。
この構成により、スリット３５を開いて、一体シートの一部を開き、外側フェンス２０を乗り越えて一体シートの下に位置する床面に人が立つことで、離着陸ポート１０のドローンまで人がアクセス可能となる。
【００２３】
図３は、図２の部分拡大図である。
図３において、離着陸ポート１０は、固定天板１２を支持する矩形枠１４を有する。
矩形枠１４は、この例では、中空矩形の一体部材であるが、軽量パイプの組合せ又は薄板で構成してもよい。
【００２４】
図２と図３において、外側フェンス２０は、４組の四隅部材２２と、四隅部材２２にそれぞれ固定された１対の辺フレーム２４と、を有する。
辺フレーム２４は、順に連結された複数（この例で３つ）の辺セグメント２４ａからなる。
複数の辺セグメント２４ａは、互いに重ねて折り畳まれた格納位置Ａと、直線状に連結された展開位置Ｂとの２つの保持位置を有する。
格納位置Ａにおいて、１対の辺フレーム２４は、互いに直交して位置し、離着陸ポート１０の四隅に密着して格納される。
【００２５】
この例で、複数の辺セグメント２４ａは、その端面同士を蝶番２５で連結されている。蝶番２５は、格納位置Ａと展開位置Ｂでその位置を保持（ロック）する機能を有することが好ましい。
さらに、１対の辺フレーム２４の辺セグメント２４ａの１つが互いに直交して四隅部材２２に固定されている。
この構成により、外側フェンス２０を図３に示す格納位置Ａから、展開位置Ｂまで変化させることができる。また、格納位置Ａでは、外側フェンス２０の最長部が離着陸ポート１０より短い大きさに折り畳み可能である。
【００２６】
なお、図３は、図で右上に位置する外側フェンス２０を示しているが、他の部分も同様である。
また、図３に示す４組の外側フェンス２０は、互いに端部を連結具で連結し、全体として平面視で正方形の図２に示す外側フェンス２０を形成する。
【００２７】
図２と図３において、可搬式ドローンポート１００は、さらに、４組の対角線フレーム２８を有する。
４組の対角線フレーム２８は、それぞれ離着陸ポート１０（矩形枠１４）の四隅に固定され、離着陸ポート１０の内側に収容された収容位置から離着陸ポート１０の対角線方向に引出し可能に構成されている。
また、対角線フレーム２８の外端が四隅部材２２に鉛直軸を中心に回転可能に固定されている。
対角線フレーム２８は、その収容位置と引出した展開位置とでその位置を保持（ロック）する機能を有することが好ましい。
この構成により、離着陸ポート１０と外側フェンス２０を一体化することができ、かつ、外側フェンス２０の展開時に、離着陸ポート１０に対する外側フェンス２０の位置を正確に位置決めすることができる。
【００２８】
図４は、可搬式ドローンポート１００の側面図であり、（Ａ）は離着陸ポート１０の側面図、（Ｂ）は外側フェンス２０の側面図である。
【００２９】
図４（Ａ）において、離着陸ポート１０は、その上面高さを調整可能なポート支持脚４０Ａ、上面の水平度を検出可能な水準器４２、及びキャスタ４４を有する。
【００３０】
ポート支持脚４０Ａは、起伏のある場所で離着陸ポート１０の上面の水平面を保持可能にするための高さ調整範囲を有する。例えば、固定天板１２の水平面の勾配を３度以内に調整するための高さ調整範囲を有する。
【００３１】
水準器４２は、矩形枠１４の４辺の中央にそれぞれ設置され、外側フェンス２０の折り畳み状態（図３のＡ）と展開状態（図３のＢ）の両方において、上面の水平度を検出できるようになっている。
キャスタ４４は、折り畳み状態（図３のＡ）において、離着陸ポート１０及び外側フェンス２０を水平移動させる際に用いる。
【００３２】
図４（Ｂ）において、外側フェンス２０は、その上面高さを調整可能なフェンス支持脚４０Ｂと、その上を越える物体を検出する検出センサ４６と、異常を通知するアラーム装置４８と、を有する。
フェンス支持脚４０Ｂは、起伏のある場所で外側フェンス２０の上端を固定天板１２と一致させるための高さ調整範囲を有する。
【００３３】
検出センサ４６は、この例では四隅部材２２の上部に固定された４つの光電センサであり、それぞれレーザ光４７を水平に発光し受光する。レーザ光４７は、外側フェンス２０に沿ってその上方を水平に延びる。
この構成により、外側フェンス２０を越えて進入する異物（人や動物）を検出することができる。
【００３４】
アラーム装置４８は、この例では検出センサ４６の上部に固定されたブザー付きのパトランプであり、検出センサ４６の検出信号に応じて光と音で異常を通知する。
【００３５】
上述した第１実施形態の可搬式ドローンポート１００は、離着陸ポート１０と外側フェンス２０が対角線フレーム２８で連結された一体型である。
【００３６】
図５は、本発明の第２実施形態の可搬式ドローンポート１００の平面図であり、図２と同様にマーカーシート３０を外した状態を示している。
この例で、離着陸ポート１０とマーカーシート３０は、第１実施形態と同様である。
外側フェンス２０は、この例では、離着陸ポート１０の外側に離れて位置する。
すなわち、第２実施形態の可搬式ドローンポート１００は、離着陸ポート１０と外側フェンス２０が分離している分離型である。
【００３７】
図６は、外側フェンス２０の格納位置における平面図（Ａ）と側面図（Ｂ）である。
この例で、外側フェンス２０は、４組の四隅部材２２と、四隅部材２２にそれぞれ固定された１対の辺フレーム２４と、を有する。
辺フレーム２４は、順に連結された複数の辺セグメント２４ａからなる。
複数の辺セグメント２４ａは、互いに重ねて折り畳まれた格納位置（図６）と、直線状に連結された展開位置（図５）との保持位置を有する。
以上の構成は、第１実施形態と同様である。
【００３８】
図６（Ａ）において、外側フェンス２０は、格納位置Ａにおいて、１対の辺フレーム２４が、互いに平行に位置し、４組の外側フェンス２０を重ねて搬送可能になっている。
また、図６（Ｂ）において、外側フェンス２０は、その上面高さを調整可能なフェンス支持脚４０Ｂを有する。
その他の構成は、第１実施形態と同様である。
【００３９】
なお、図５において、外側フェンス２０の四隅の直角を強固に保持するために、直角保持部材を追加してもよい。
また、外側フェンス２０の展開時に、離着陸ポート１０に対する外側フェンス２０の位置を正確に位置決めするために、離着陸ポート１０と外側フェンス２０を連結する連結部材を追加してもよい。
【００４０】
上述した本発明の実施形態によれば、離着陸ポート１０が、起伏のある場所で物流用ドローンが離着陸可能な水平面を保持可能なので、使用時に物流用ドローンの高精度の着陸が可能である。
また、外側フェンス２０が間隔を隔てて離着陸ポート１０の外側を囲み、かつ高さ調節可能なので、マーカーシート３０を、外側フェンス２０に外縁を固定して水平に展張可能である。
さらに、マーカーシート３０が、その上面に物流用ドローンが認識可能な複数のＡＲマーカー３８を有するので、物流用ドローンの高精度の着陸が可能である。
【００４１】
また、マーカーシート３０は、離着陸ポート１０まで人がアクセス可能に構成されているので、離着陸ポート１０の上に位置する物流用ドローン及び荷物に人がアクセスすることができる。
さらに、外側フェンス２０が、最長部が離着陸ポート１０より短い大きさに折り畳み可能なので、外側フェンス２０を折り畳むことで、ドローンポート全体を離着陸ポート１０の大きさ以下に折り畳んで、容易に搬送することができる。
【００４２】
なお、本発明は上述した実施形態に限定されず、本発明の要旨を逸脱しない範囲で種々変更を加え得ることは勿論である。
【符号の説明】
【００４３】
１０  離着陸ポート、１２  固定天板、１４  矩形枠、
２０  外側フェンス、２２  四隅部材、２４  辺フレーム、２４ａ  辺セグメント、
２８  対角線フレーム、３０  マーカーシート、３２  中央シート、
３４  外側シート、３５  スリット、３８  ＡＲマーカー、
４０Ａ  ポート支持脚、４０Ｂ  フェンス支持脚、４２  水準器、４４  キャスタ、
４６  検出センサ、４８  アラーム装置、１００  可搬式ドローンポート
【図１】
2020117118.tif 000003
【図２】
2020117118.tif 000004
【図３】
2020117118.tif 000005
【図４】
2020117118.tif 000006
【図５】
2020117118.tif 000007
【図６】
2020117118.tif 000008